【手続補正書】
【提出日】平成18年8月3日(2006.8.3)
【手続補正１】
【補正対象書類名】特許請求の範囲
【補正対象項目名】全文
【補正方法】変更
【補正の内容】
【特許請求の範囲】
【請求項１】
充填燃料（２）を収容している缶体（１）および、該缶体（１）にしっかりと結合される、シール箔によって形成され、前記缶体（１）のフランジ状縁部にシールされている覆い蓋（３）を有する燃料缶であって、前記覆い蓋（３）は、該覆い蓋（３）の少なくとも１つの開口（４、１０、１１）が、材料接合による１つまたは複数の所定の切り取り位置（６）に沿って、１つまたは複数の蓋部要素（５、５ａ、５ｂ、７、７ａ、７ｂ、７ｃ）を完全に、または部分的に切断するか、または切り離すことによって形成可能であり、前記覆い蓋（３）の前記シール箔は、シール層とは別に、合成材料層（１２）を間に挟むことにより互いに結合される少なくとも２つの金属箔（１３、１４）を含むように設計されていることを特徴とする燃料缶。
【請求項２】
前記金属箔（１３、１４）は、ポリエチレン（PE)層（１２）により互いに結合されるアルミニウム箔（１３、１４）であることを特徴とする請求項１に記載の燃料缶。
【請求項３】
前記２つの金属箔（１３、１４）のうちの第１の金属箔（１３）は、前記所定の切り取り位置（６）に沿って弱化、または部分的に破断され、第２の金属箔（１４）は、前記所定の切り取り位置（６）の領域に途切れなく続くことを特徴とする請求項１または２のいずれか１項に記載の燃料缶。
【請求項４】
前記第２の金属箔（１４）は前記缶体（１）に面していることを特徴とする請求項３に記載の燃料缶。
【請求項５】
前記所定の切り取り位置（６）を完全に切断した後に、前記切断可能または切り離し可能な蓋部要素（５、５ａ、５ｂ、７、７ａ、７ｂ、７ｃ）は前記覆い蓋（３）に切り離し不可能に結合されていることを特徴とする請求項１ないし４のいずれか１項に記載の燃料缶。
【請求項６】
前記切断可能または切り離し可能な蓋部要素（５、５ａ、５ｂ、７、７ａ、７ｂ、７ｃ）の少なくとも一部は、剥離箔要素（５）として設計され、特に、前記覆い蓋（３）の全体にわたって延びる剥離箔要素（５）として形成されていることを特徴とする請求項１ないし５のいずれか１項に記載の燃料缶。
【請求項７】
前記切断可能または切り離し可能な蓋部要素（５、５ａ、５ｂ、７、７ａ、７ｂ、７ｃ）の少なくとも一部は、前記覆い蓋（３）から切り離し可能な補助領域（７）として設計されていることを特徴とする請求項１ないし６のいずれか１項に記載の燃料缶。
【請求項８】
前記覆い蓋（３）は、前記１つまたは複数の蓋部要素（５、５ａ、５ｂ、７、７ａ、７ｂ、７ｃ）の切断または切り離しによって、種々の開口（４、１０、１１）および／または異なる数の開口（４、１０、１１）を前記覆い蓋（３）に選択的に形成可能であるように設計されていることを特徴とする請求項１ないし７のいずれか１項に記載の燃料缶。
【請求項９】
前記切断可能または切り離し可能な蓋部要素（５、５ａ、５ｂ、７、７ａ、７ｂ、７ｃ）には、該要素の切断または切り離しを容易にするために、開封補助手段（８、９）、特にプルフラップ（８）またはプルリング（９）が備えられ、特に、前記開封補助手段（８、９）は、該燃料缶の外縁部を越えて突出し、手で把持できるように設計されていることを特徴とする請求項１ないし８のいずれか１項に記載の燃料缶。
【請求項１０】
前記覆い蓋（３）は、前記蓋部要素（５、５ａ、５ｂ、７、７ａ、７ｂ、７ｃ）の切断または切り離しによって、開口（４、１０、１１）を少なくとも２本の対称軸を有する開口パターンで前記覆い蓋（３）に形成可能であるように設計され、特に、前記対称軸が前記缶体（１）の中心を通る垂直軸と交差するような開口パターンを形成可能であることを特徴とする請求項１ないし９のいずれか１項に記載の燃料缶。
【請求項１１】
前記覆い蓋（３）は、前記蓋部要素（５、５ａ、５ｂ、７、７ａ、７ｂ、７ｃ）の切断または切り離しによって、前記缶体（１）内に半分程度充填された前記充填燃料（２）の表面とほぼ同じ形状を有するとともに、該表面と同心に配置される中心開口（１１）を該覆い蓋（３）に形成可能であるように設計されていることを特徴とする請求項１ないし１０のいずれか１項に記載の燃料缶。
【請求項１２】
ほぼ円形または方形の中心開口（１１）を形成可能であり、特に、該中心開口（１１）は、前記缶体（１）内に半分程度充填された充填燃料の表面積の少なくとも１５％、特に少なくとも２０％に相当する面積を含むことを特徴とする請求項１１に記載の燃料缶。
【請求項１３】
前記蓋部要素（５、５ａ、５ｂ、７、７ａ、７ｂ、７ｃ）の切断または切り離しによって、前記中心開口（１１）に加えて、該中心開口（１１）から半径方向外側に延び、特に前記覆い蓋の縁部まで延びている１つまたは複数の細長い形の開口パターン要素（１０）を形成可能であることを特徴とする請求項１１または１２に記載の燃料缶。
【請求項１４】
前記半径方向外側に延びる細長い形の開口パターン要素（１０）は、前記中心開口（１１）に滑らかに移行し、特に、前記中心開口（１１）は、前記半径方向外側に延びる細長い形の開口パターン要素（１０）とともに梨形開口（４）を形成することを特徴とする請求項１３に記載の燃料缶。
【請求項１５】
互いに正反対に位置する２つの前記細長い形の開口パターン要素（１０）を形成可能であることを特徴とする請求項１３または１４に記載の燃料缶。
【請求項１６】
前記蓋部要素（５、５ａ、５ｂ、７、７ａ、７ｂ、７ｃ）の切断または切り離しによって、前記中心開口（１１）に加えて、特に該中心開口（１１）を同心状に、かつ均等なピッチで囲むさらに小さい特に円形の開口を前記覆い蓋（３）に形成可能であることを特徴とする請求項１１ないし１５のいずれか１項に記載の燃料缶。
【請求項１７】
前記覆い蓋（３）は、前記蓋部要素（５、５ａ、５ｂ、７、７ａ、７ｂ、７ｃ）の切断または切り離しによって、前記所定の切り取り位置に沿った材料接合部が回復不可能に除去されるように設計されていることを特徴とする請求項１ないし１６のいずれか１項に記載の燃料缶。
【請求項１８】
前記缶体（１）は、アルミニウムまたはブリキの深絞りコップまたは深絞り鉢であることを特徴とする請求項１ないし１７のいずれか１項に記載の燃料缶。
【請求項１９】
前記充填燃料（２）は、芯を伴うかまたは伴わない燃料ペースト（２）、特に芯を伴わない高濃度のエチルアルコール、イソプロピルアルコール、またはメチルアルコールから成ることを特徴とする請求項１ないし１８のいずれか１項に記載の燃料缶。
【請求項２０】
前記充填燃料（２）は、芯を伴うかまたは伴わない、室温で固体の燃料、特に、ポリエチレングリコール、ステアリン、パラフィン、炭化水素誘導体、蝋、蝋様燃料またはそれらの誘導体のそれぞれ、あるいはそれらの混合物並びに芯から成ることを特徴とする請求項１ないし１９のいずれか１項に記載の燃料缶。
【請求項２１】
前記充填燃料（２）は、吸収材、特に綿またはフリース状の材料内に収容されている燃料から成り、特に、前記吸収材は、前記燃料の燃焼中に芯の役割を有することを特徴とする請求項１ないし２０のいずれか１項に記載の燃料缶。
【請求項２２】
前記燃料は、室温で液体の燃料、特にジエチレングリコールであることを特徴とする請求項２１に記載の燃料缶。
【請求項２３】
前記燃料は、室温で固体の燃料、特にポリエチレングリコールであることを特徴とする請求項２１に記載の燃料缶。
【請求項２４】
燃料缶用の、特に請求項１ないし２３のいずれか１項に記載の燃料缶用のシール箔の覆い蓋（３）であって、前記シール箔は、所定の切り取り位置とシール層に加えて、間に合成材料層を挟むことによって互いに結合される少なくとも２つの金属箔とを含み、該２つの金属箔のうち第１の金属箔は、前記所定の切り取り位置に沿って弱化または部分的に破断され、特に、前記金属箔は、ポリエチレン層によって互いに結合されるアルミニウム箔であることを特徴とする覆い蓋。
【請求項２５】
前記シール層とは別に、合成材料層を間に挟むことによって互いに結合される少なくとも２つの金属箔、特に、ポリエチレン層を間に挟むことによって互いに結合される２つのアルミニウム箔を含むことを特徴とする請求項２４に記載の覆い蓋を作製するためのシール箔。
【請求項２６】
温熱源、熱源、または光源としての、特にストーブのバーナ、あるいはランプとしての請求項１ないし２３のいずれか１項に記載の燃料缶の使用。